(57)【要約】【課題】    本発明は、座者の体圧を座部と背もたれ部とに効率よく分散させることで、座り心地のよい座椅子の提供を実現させると共に、個々の座者の体形に応じた座椅子の容易な製造・提供の実現を課題とする。【解決手段】本発明の座椅子背面部内部用クッション部材は、座者の臀部を受ける座面部と座者の腰部と背部と肩部とのうちの背部を受ける背面部とを少なくとも備えた座椅子の背面部の内部に設けられるクッション部材が、座者の背部が当接された際に座者の背骨の左右に間隔をおいて前記背骨と平行的に延在するよう各別に配設された一対の背骨回避クッション部材と、前記一対の背骨回避クッション部材と前記座者の背部との間に介在し、前記一対の背骨回避クッション部材の上に当該両背骨回避クッション部材に架け渡されるように配設されて前記背部を受ける架け渡しクッション部材とで構成されたことを特徴とする座椅子背面部内部用クッション部材【選択図】  図７
2014023593.tif 000002
【特許請求の範囲】
【請求項１】
座者の臀部を受ける座面部と座者の腰部と背部と肩部とのうちの背部を受ける背面部とを少なくとも備えた座椅子の背面部の内部に設けられるクッション部材が、
座者の背部が当接された際に座者の背骨の左右に間隔をおいて前記背骨と平行的に延在するよう各別に配設された一対の背骨回避クッション部材と、
前記一対の背骨回避クッション部材と前記座者の背部との間に介在し、前記一対の背骨回避クッション部材の上に当該両背骨回避クッション部材に架け渡されるように配設されて前記背部を受ける架け渡しクッション部材とで
構成されたことを特徴とする座椅子背面部内部用クッション部材。
【請求項２】
背骨回避クッション部材は、四角柱状であることを特徴とする請求項１に記載の座椅子背面部内部用クッション部材。
【請求項３】
背骨回避クッション部材は、当該部材の延在方向中央付近から背面部の上端側に向かって厚さが次第に減少する先細り形状とされたことを特徴とする請求項１に記載の座椅子背面部内部用クッション部材。
【請求項４】
背骨回避クッション部材は、当該部材の延在方向中央付近から背面部の上端側に向かって厚さが次第に架け渡しクッション部材側に近接して行くように減少するよう前記上端側が側面視において略直角三角形状とされたことを特徴とする請求項１２に記載の座椅子背面部内部用クッション部材。
【請求項５】
背骨回避クッション部材は、当該部材の延在方向中央付近から背面部の上端側に向かって厚さが次第に減少するよう前記上端側が側面視において二等辺三角形状とされたことを特徴とする請求項１に記載の座椅子背面部内部用クッション部材。
【請求項６】
架け渡しクッション部材は平板状であることを特徴とする請求項１乃至請求項５の何れかに記載の座椅子背面部内部用クッション部材。
【請求項７】
一対の背骨回避クッション部材と架け渡しクッション部材とで囲まれ、前記架け渡しクッション部材の背面側にあって座者の背骨の延在方向に背骨回避空間が形成されたことを特徴とする請求項１乃至請求項６の何れかに記載の座椅子背面部内部用クッション部材。
【請求項８】
裏張りクッション部材が、一対の背骨回避クッション部材と架け渡しクッション部材とで囲まれて横断面においてコ字形に形成された背骨回避空間の前記コ字形の開放側を塞ぐように左右の背骨回避クッション部材間に張り渡すように設けられたことを特徴とする請求項７の座椅子背面部内部用クッション部材。
【請求項９】
一対の背骨回避クッション部材と架け渡しクッション部材とは貼り合わせにより一体化形成されたことを特徴とする請求項１乃至請求項８の何れかに記載の座椅子背面部内部用クッション部材。
【請求項１０】
一対の背骨回避クッション部材と架け渡しクッション部材と一部材からの整形により一体形成されたことを特徴とする請求項１乃至請求項８の何れかに記載の座椅子背面部内部用クッション部材。
【請求項１１】
一対の背骨回避クッション部材と架け渡しクッション部材と裏張りクッション部材とは互いに貼り合わせにより一体化されたことを特徴とする請求項８の座椅子背面部内部用クッション部材。
【請求項１２】
裏張りクッション部材のクッション性能が、一対の背骨回避クッション部材及び／又は架け渡しクッション部材のクッション性能と異にされたことを特徴とする請求項８の座椅子背面部内部用クッション部材。
【請求項１３】
裏張りクッション部材のクッション性能が、一対の背骨回避クッション部材及び／又は架け渡しクッション部材のクッション性能に対して異にされることによって、請求項８の座椅子背面部内部用クッション部材全体としてのクッション性能を任意の性能とすることを特徴とする座椅子背面部内部用クッション部材の製造方法。
【請求項１４】
座者の臀部を受ける座面部の骨格を構成する座面部構成フレームと、座者の腰部と背部と肩部とのうちの背部を受ける背面部の骨格を構成する背面部構成フレームとを備えた座椅子の前記背面部構成フレームに、請求項1乃至請求項１３の何れかに記載の座椅子背面部内部用クッション部材を設けたことを特徴とする座椅子。
【請求項１５】
座者の臀部を受ける座面部の骨格を構成する座面部構成フレームと、座者の腰部と背部と肩部とのうちの背部を受ける背面部の骨格を構成する背面部構成フレームとを、少なくとも備え、前記背面部構成フレームが、当該背面部構成フレームで形成されるフレーム面内を左右方向に通る軸線を揺動軸として、座者の上半身側の前後方向の屈伸運動に応じて自在に揺動する構成とされた座椅子の前記背面部構成フレームに、請求項1乃至請求項１３の何れかに記載の座椅子背面部内部用クッション部材を設けたことを特徴とする座椅子。
【請求項１６】
背面部構成フレームの揺動は、当該背面部構成フレームのフレーム面において、揺動軸より上方部側のフレーム面部と下方部側のフレーム面部との受圧差に応じた傾に当該フレーム面が静止しようとする動きであることを特徴とする請求項１５の座椅子。
【請求項１７】
背面構成フレームのフレーム面は、座者の左右方向に長い略長四角形状とされたことを特徴とする請求項１５又は請求項１６に記載の座椅子。
【請求項１８】
背面部は、背面部構成フレームの揺動において、少なくとも座者の背部と面当接可能に構成されたことを特徴とする請求項１５乃至請求項１７の何れかに記載の座椅子。
【請求項１９】
背面部構成フレームのフレーム面の上下方向長さは、座者の上半身の傾斜角度が約１２５度の座姿勢において、座者の背骨の第８又は第９胸椎から第４腰椎までの長さとされたことを特徴とする請求項１５乃至請求項１８の何れかに記載の座椅子。
【請求項２０】
揺動軸の設定位置は、座者の腰部の高さ方向範囲内とされたことを特徴とする請求項１５乃至請求項１９の何れかに記載の座椅子。
【請求項２１】
揺動軸の高さ方向設定位置は、座者の上半身の傾斜角度が約１２５度の座姿勢において、座者の第３乃至第５腰椎の高さ方向範囲内とされたことを特徴とする請求項１５乃至請求項２０の何れかに記載の座椅子。
【請求項２２】
揺動軸の座椅子の前後方向設定位置は、座者の上半身の傾斜角度が約１２５度の座姿勢において、座者の背骨の第６乃至第７胸椎を通る垂線上に揺動軸が位置する位置とされたことを特徴とする請求項１５乃至請求項２１の何れかに記載の座椅子。
【請求項２３】
揺動軸のフレーム面内の設定位置は、背面部構成フレームで形成されるフレーム面の上下方向において、当該軸より下部側方向長さより上部側方向長さの方が長い位置に設定されたことを特徴とする請求項１５乃至請求項２２の何れかに記載の座椅子。
【請求項２４】
揺動軸のフレーム面内の設定位置は、背面部構成フレームの上下方向において当該軸より下部側方向長さと上部側方向長さとの比が略１対３に分かたれる位置に設定されたことを特徴とする請求項１５乃至請求項２３の何れかに記載の座椅子。
【請求項２５】
背面部構成フレームの揺動範囲は、少なくとも、座者が座面部の座面から臀部を浮かせて背部を後方へ一杯に伸展させた際、座者の背部に対して背面部が面当接した状態で傾動可能な範囲とされたことを特徴とする請求項１５乃至請求項２４の何れかに記載の座椅子。
【請求項２６】
背面部構成フレームは、背面部の外周縁を形成する略長四角形状の枠体であって、当該枠体の左右の外側に揺動軸を有することを特徴とする請求項１５乃至請求項２５の何れかに記載の座椅子。
【請求項２７】
背面部構成フレームは、略長四角形状の枠体であって、当該枠体内を左右水平方向に延在する揺動軸としての軸体を有することを特徴とする請求項１５乃至請求項２６の何れかに記載の座椅子。
【請求項２８】
背面部構成フレームは、当該背面部構成フレームの揺動軸の両端側が、座面部構成フレームの左右両端側に各々リクライニングギアを介して傾動自在に連結された左右一対の背面部支持フレームに回動自在に軸支されたことを特徴とする請求項１５乃至請求項２７の何れかに記載の座椅子。
【請求項２９】
背面部支持フレームは、座者の腰部の直接圧力を受けないよう腰部から後方に離された位置に設けられたことを特徴とする請求項２８の座椅子。
【請求項３０】
左右一対の背面部支持フレームは、当該両背面部支持フレームを連結するフレーム部材で一体的に構成されたことを特徴とする請求項２８又は請求項２９に記載の座椅子。
【請求項３１】
座面部の内部に設けられる座面部内部用クッション部材が、
座面部構成フレームのフレーム面を覆う広さに形成された座面基底クッション部材と、
前記座面基底クッション部材の後端縁側であって、座者の臀部の左右後端側の圧力を受ける部位に間隔をおいて各々配設された一対の臀部後端受クッション部材と、
前記座面基底クッション部材の前端縁側であって、座者の大腿部の圧力を受ける部位に配設された大腿部クッション部材とで構成されたことを特徴とする請求項１４乃至請求項３０の何れかに記載の座椅子。
【請求項３２】
座面基底クッション部材に設けられる一対の臀部後端受クッション部材と大腿部クッション部材との３部材は臀部の座り位置が定まるように配設されたことを特徴とする請求項３１の座椅子。
【請求項３３】
臀部後端受クッション部材は、座面部の左右方向に向かって延在する四角柱形状であることを特徴とする請求項３１又は請求項３２に記載の座椅子。
【請求項３４】
大腿部クッション部材は、座面部の左右方向に延在する断面四角形状の単体部材であることを特徴とする請求項３１乃至請求項３３の何れかに記載の座椅子。
【請求項３５】
座面基底クッション部材と一対の臀部後端受クッション部材と大腿部クッション部材との４部材は、単体として取り扱いが可能に一体的に形成されたことを特徴とする請求項３１乃至請求項３４の何れかに記載の座椅子。
【請求項３６】
座面部内部用クッション部材は、その座面基底クッション部材が座面部構成フレーム上に装着され、前記の座面基底クッション部材上に一対の臀部後端受クッション部材と大腿部クッション部材とが配置された状態で、座面部の内部に設けられたことを特徴とする請求項３１乃至請求項３５の何れかに記載の座椅子。
【請求項３７】
座面部内部用クッション部材は、その一対の臀部後端受クッション部材と大腿部クッション部材とが座面部構成フレーム上に装着され、前記臀部後端受クッション部材と大腿部クッション部材との上に座面基底クッション部材が配置された状態で、座面部の内部に設けられたことを特徴とする請求項３１乃至請求項３５の何れかに記載の座椅子。
【請求項３８】
背面部内部用クッション部材の各構成部材を、予め異なる寸法サイズ毎及び異なるクッション性能毎に成形しておき、予定される座者の体格に応じて適宜選択し、予定される座者に最適な背面部内部用クッション部材を構成することを特徴とする請求項１４乃至請求項３７の何れかに記載の座椅子の製造方法。
【請求項３９】
座面部内部用クッション部材の各構成部材を、予め異なる寸法サイズ毎及び異なるクッション性能毎に成形しておき、予定される座者の体格に応じて適宜選択し、予定される座者に最適な座面部内部用クッション部材を構成することを特徴とする請求項１４乃至請求項３７の何れかに記載の座椅子の製造方法。
【請求項４０】
背面部用クッション部材と座面部内部用クッション部材の各構成部材を、予め異なる寸法サイズ毎及び異なるクッション性能毎に成形しておき、予定される座者の体格に応じて適宜選択し、予定される座者に最適な背面部用クッション部材と座面部内部用クッション部材とを構成することを特徴とする請求項１４乃至請求項３７の何れかに記載の座椅子の製造方法。
【発明の詳細な説明】
【技術分野】
【０００１】
本発明は、座椅子の内部用のクッション部材とその製造方法並びにそれらのクッション部材を用いた座椅子とその製造方法とに関する。
【背景技術】
【０００２】
座椅子は、座椅子に座った座者の体圧を、前記座面部と座者の上半身（即ち、座者の腰部、背部及び肩部）を受ける背もたれ部とで支えるものであり、一般に、座面部は当該座面の表面全体が一平面的に形成され、背もたれ部の受面もまた当該受面全体が一平面的な一枚板状に形成されている。
又、座面部や背もたれ部のクッション材の配設構造についても、単に臀部の体圧或いは上半身の体圧を、座部の一平面と背もたれ部の一枚板状の一平面とで如何にして軽減するか、という設計思想を超えてはいなかった。
【０００３】
このため、例えば、座面部の体圧軽減については、当該座面の全面を覆うような一平面状に成形された素材やクッション性が異なる各種のクッション材が、単に平面的且つ積層的に用いられるだけであり、平面的なクッション材の単なる素材の組み合わせや厚さや積層の組合せ如何で、体圧の軽減が図られていたに過ぎなかった。
又、上半身を受ける背もたれ部についても、腰部から肩部に至る上半身を受ける受面全体が一つの単純な一枚板状の単なる一平面と捉えられていたため、上記の座面部の場合と同様に、平面的な各種クッション部材が背側即ち腰部から肩部に至る上半身の背面側の全面にわたって単に平面的に積層されていたに過ぎなかった。
【０００４】
他方、一部の座椅子では、座面部の表面側や背もたれ部の表面側の形状を、その面に当たる身体部分の全部或いは一部の表面形状と整合する相補形状とした製品もみられるが、これらの相補形状もまた、当該部分の全面に平面的に積層されたるクッション材の表層側のみを所要の凹凸曲面に射出成型手段等で一体成形されたものに過ぎない。
【０００５】
しかも、上記で述べたような従来の座椅子では、座者の座り心地の改善については、専らクッション材の素材やその平面的な積層構造の工夫にばかりに視点が注がれ、座椅子の骨格構造の改良についての着眼は全くと言って良い程希薄であった。
【０００６】
本発明は、座者の座り心地の改善について、座椅子の骨格構造の改良に工夫を凝らしたり、座者の臀部を受ける座面部や座者の上半身の腰部、背部及び肩部のうちの少なくとも背部を受ける背面部の内部に設けられる内部用クッション部材の単なる平面的な積層即ち二次元的配置ではなく、立体的な配置構造即ち三次元的配置に工夫を凝らすことによって、人体工学的な視点から座者の体圧を効率的に分散させ、従来にない、座り心地の良い座椅子の提供を目的とするものである。            
【０００７】
又、従来のようなクッション材の単純な平面的な積層や表面側クッション材の表面凹凸曲面の射出成形等による一体成形では、体形や体格等（以下、単に体格ともいう）の異なる個々の座者に適応した心地よい座り心地の座椅子の提供は殆ど不可能であったが、製造工程においてクッション材の材質やサイズや形態、或いはクッション性能等（以下、単にクッション性能ともいう）を個々の座者の体格に応じて容易に変更でき、個々の座者の身体的特徴に応じて容易に製造できる座椅子の提供をも目的とするものである。
【発明の概要】
【発明が解決しようとする課題】
【０００８】
本発明は、上記目的を達成すべくなされたもので、背もたれ部の骨格構成フレームを従来にない新たな揺動構造にしたり、座者と座椅子の骨格構成フレームとの間に介在させる座面部内部用クッション部材や背面部内部用クッション部材の形状や配置構成を新たな三次元構造にしたりすることによって、座者の体圧を座面部や背もたれ部の背面部とに効率よく分散させることで、座り心地のよい座椅子の提供を実現させると共に、個々の座者の体格に応じた座椅子の容易な製造を実現させたものである。
【課題を解決するための手段】
【０００９】
請求項１の座椅子背面部内部用クッション部材は、座者の臀部を受ける座面部と座者の腰部と背部と肩部とのうちの背部を受ける背面部とを少なくとも備えた座椅子の背面部の内部に設けられるクッション部材が、
座者の背部が当接された際に座者の背骨の左右に間隔をおいて前記背骨と平行的に延在するよう各別に配設された一対の背骨回避クッション部材と、
前記一対の背骨回避クッション部材と前記座者の背部との間に介在し、前記一対の背骨回避クッション部材の上に当該両背骨回避クッション部材に架け渡されるように配設されて前記背部を受ける架け渡しクッション部材とで構成されたことを特徴とする。
【００１０】
請求項２の発明は、請求項１に記載の座椅子背面部内部用クッション部材において、背骨回避クッション部材は、四角柱状であることを特徴とする。
【００１１】
請求項３の発明は、請求項１に記載の座椅子背面部内部用クッション部材において、背骨回避クッション部材は、当該部材の延在方向中央付近から背面部の上端側に向かって厚さが次第に減少する先細り形状とされたことを特徴とする。
【００１２】
請求項４の発明は、請求項１に記載の座椅子背面部内部用クッション部材において、背骨回避クッション部材は、当該部材の延在方向中央付近から背面部の上端側に向かって厚さが次第に架け渡しクッション部材側に近接して行くように減少するよう前記上端側が側面視において略直角三角形状とされたことを特徴とする。
【００１３】
請求項５の発明は、請求項１に記載の座椅子背面部内部用クッション部材において、背骨回避クッション部材は、当該部材の延在方向中央付近から背面部の上端側に向かって厚さが次第に減少するよう前記上端側が側面視において二等辺三角形状とされたことを特徴とする。
【００１４】
請求項６の発明は、請求項１乃至請求項５の何れかに記載の座椅子背面部内部用クッション部材において、架け渡しクッション部材は平板状であることを特徴とする。
【００１５】
請求項７の発明は、請求項１乃至請求項６の何れかに記載の座椅子背面部内部用クッション部材において、一対の背骨回避クッション部材と架け渡しクッション部材とで囲まれ、前記架け渡しクッション部材の背面側にあって座者の背骨の延在方向に背骨回避空間が形成されたことを特徴とする。
【００１６】
請求項８の発明は、請求項７の座椅子背面部内部用クッション部材において、裏張りクッション部材が、一対の背骨回避クッション部材と架け渡しクッション部材とで囲まれて横断面においてコ字形に形成された背骨回避空間の前記コ字形の開放側を塞ぐように、左右の背骨回避クッション部材間に張り渡すように設けられたことを特徴とする。
【００１７】
請求項９の発明は、請求項１乃至請求項８の何れかに記載の座椅子背面部内部用クッション部材において、一対の背骨回避クッション部材と架け渡しクッション部材とは貼り合わせにより一体化されたことを特徴とする。
【００１８】
請求項１０の発明は、請求項１乃至請求項８の何れかに記載の座椅子背面部内部用クッション部材において、一対の背骨回避クッション部材と架け渡しクッション部材と一部材からの整形により一体形成されたことを特徴とする。
【００１９】
請求項１１の発明は、請求項８の座椅子背面部内部用クッション部材において、一対の背骨回避クッション部材と架け渡しクッション部材と裏張りクッション部材とは互いに貼り合わせにより一体化されたことを特徴とする。
【００２０】
請求項１２の発明は、請求項８の座椅子背面部内部用クッション部材において、裏張りクッション部材のクッション性能が、一対の背骨回避クッション部材及び／又は架け渡しクッション部材のクッション性能と異にされたことを特徴とする。
【００２１】
請求項１３の座椅子背面部内部用クッション部材の製造方法の発明は、裏張りクッション部材のクッション性能が、一対の背骨回避クッション部材及び／又は架け渡しクッション部材のクッション性能に対して異にされることによって、請求項８の座椅子背面部内部用クッション部材全体としてのクッション性能を任意の性能とすることを特徴とする。
【００２２】
請求項１４の座椅子の発明は、座者の臀部を受ける座面部の骨格を構成する座面部構成フレームと、座者の腰部と背部と肩部とのうちの背部を受ける背面部の骨格を構成する背面部構成フレームとを備えた座椅子の前記背面部構成フレームに、請求項1乃至請求項１３の何れかに記載の座椅子背面部内部用クッション部材を設けたことを特徴とする。
【００２３】
請求項１５の座椅子の発明は、座者の臀部を受ける座面部の骨格を構成する座面部構成フレームと、座者の腰部と背部と肩部とのうちの背部を受ける背面部の骨格を構成する背面部構成フレームとを、少なくとも備え、前記背面部構成フレームが、当該背面部構成フレームで形成されるフレーム面内を左右方向に通る軸線を揺動軸として、座者の上半身側の前後方向の屈伸運動に応じて自在に揺動する構成とされた座椅子の前記背面部構成フレームに、請求項1乃至請求項１３の何れかに記載の座椅子背面部内部用クッション部材を設けたことを特徴とする。
【００２４】
請求項１６の発明は、請求項１５の座椅子において、背面部構成フレームの揺動は、当該背面部構成フレームのフレーム面において、揺動軸より上方部側のフレーム面部と下方部側のフレーム面部との受圧差に応じた傾に当該フレーム面が静止しようとする動きであることを特徴とする。
【００２５】
請求項１７の発明は、請求項１５又は請求項１６に記載の座椅子において、背面構成フレームのフレーム面は、座者の左右方向に長い略長四角形状とされたことを特徴とする。
【００２６】
請求項１８の発明は、請求項１５乃至請求項１７の何れかに記載の座椅子において、背面部は、背面部構成フレームの揺動において、少なくとも座者の背部と面当接可能に構成されたことを特徴とする。
【００２７】
請求項１９の発明は、請求項１５乃至請求項１８の何れかに記載の座椅子において、背面部構成フレームのフレーム面の上下方向長さは、座者の上半身の傾斜角度が約１２５度の座姿勢において、座者の背骨の第８又は第９胸椎から第４腰椎までの長さとされたことを特徴とする。
【００２８】
請求項２０の発明は、請求項１５乃至請求項１９の何れかに記載の座椅子において、揺動軸の設定位置は、座者の腰部の高さ方向範囲内とされたことを特徴とする。
【００２９】
請求項２１の発明は、請求項１５乃至請求項２０の何れかに記載の座椅子において、揺動軸の高さ方向設定位置は、座者の上半身の傾斜角度が約１２５度の座姿勢において、座者の第３乃至第５腰椎の高さ方向範囲内とされたことを特徴とする。
【００３０】
請求項２２の発明は、請求項１５乃至請求項２１の何れかに記載の座椅子において、揺動軸の座椅子の前後方向設定位置は、座者の上半身の傾斜角度が約１２５度の座姿勢において、座者の背骨の第６乃至第７胸椎を通る垂線上に揺動軸が位置する位置とされたことを特徴とする。
【００３１】
請求項２３の発明は、請求項１５乃至請求項２２の何れかに記載の座椅子において、揺動軸のフレーム面内の設定位置は、背面部構成フレームで形成されるフレーム面の上下方向において、当該軸より下部側方向長さより上部側方向長さの方が長い位置に設定されたことを特徴とする。
【００３２】
請求項２４の発明は、請求項１５乃至請求項２３の何れかに記載の座椅子において、揺動軸のフレーム面内の設定位置は、背面部構成フレームの上下方向において当該軸より下部側方向長さと上部側方向長さとの比が略１対３に分かたれる位置に設定されたことを特徴とする。
【００３３】
請求項２５の発明は、請求項１５乃至請求項２４の何れかに記載の座椅子において、背面部構成フレームの揺動範囲は、少なくとも、座者が座面部の座面から臀部を浮かせて背部を後方へ一杯に伸展させた際、座者の背部に対して背面部が面当接した状態で傾動可能な範囲とされたことを特徴とする。
【００３４】
請求項２６の発明は、請求項１５乃至請求項２５の何れかに記載の座椅子において、背面部構成フレームは、背面部の外周縁を形成する略長四角形状の枠体であって、当該枠体の左右の外側に揺動軸を有することを特徴とする。
【００３５】
請求項２７の発明は、請求項１５乃至請求項２６の何れかに記載の座椅子において、背面部構成フレームは、略長四角形状の枠体であって、当該枠体内を左右水平方向に延在する揺動軸としての軸体を有することを特徴とする。
【００３６】
請求項２８の発明は、請求項１５乃至請求項２７の何れかに記載の座椅子において、背面部構成フレームは、当該背面部構成フレームの揺動軸の両端側が、座面部構成フレームの左右両端側に各々リクライニングギアを介して傾動自在に連結された左右一対の背面部支持フレームに回動自在に軸支されたことを特徴とする。
【００３７】
請求項２９の発明は、請求項２８の座椅子において、背面部支持フレームは、座者の腰部の直接圧力を受けないよう腰部から後方に離された位置に設けられたことを特徴とする。
【００３８】
請求項３０の発明は、請求項２８又は請求項２９に記載の座椅子において、左右一対の背面部支持フレームは、当該両背面部支持フレームを連結するフレーム部材で一体的に構成されたことを特徴とする。
【００３９】
請求項３１の発明は、請求項１４乃至請求項３０の何れかに記載の座椅子において、
座面部の内部に設けられる座面部内部用クッション部材が、
座面部構成フレームのフレーム面を覆う広さに形成された座面基底クッション部材と、
前記座面基底クッション部材の後端縁側であって、座者の臀部の左右後端側の圧力を受ける部位に間隔をおいて各々配設された一対の臀部後端受クッション部材と、
前記座面基底クッション部材の前端縁側であって、座者の大腿部の圧力を受ける部位に配設された大腿部クッション部材とで構成されたことを特徴とする。
【００４０】
請求項３２の発明は、請求項３１の座椅子において、座面基底クッション部材に設けられる一対の臀部後端受クッション部材と大腿部クッション部材との３部材は臀部の座り位置が定まるように配設されたことを特徴とする。
【００４１】
請求項３３の発明は、請求項３１又は請求項３２に記載の座椅子において、臀部後端受クッション部材は、座面部の左右方向に向かって延在する四角柱形状であることを特徴とする。
【００４２】
請求項３４の発明は、請求項３１乃至請求項３３の何れかに記載の座椅子において、大腿部クッション部材は、座面部の左右方向に延在する断面四角形状の単体部材であることを特徴とする。
【００４３】
請求項３５の発明は、請求項３１乃至請求項３４の何れかに記載の座椅子において、座面基底クッション部材と一対の臀部後端受クッション部材と大腿部クッション部材との４部材は、単体として取り扱いが可能に一体的に形成されたことを特徴とする。
【００４４】
請求項３６の発明は、請求項３１乃至請求項３５の何れかに記載の座椅子において、座面部内部用クッション部材は、その座面基底クッション部材が座面部構成フレーム上に装着され、前記の座面基底クッション部材上に一対の臀部後端受クッション部材と大腿部クッション部材とが配置された状態で、座面部の内部に設けられたことを特徴とする。
【００４５】
請求項３７の発明は、請求項３１乃至請求項３５の何れかに記載の座椅子において、座面部内部用クッション部材は、その一対の臀部後端受クッション部材と大腿部クッション部材とが座面部構成フレーム上に装着され、前記臀部後端受クッション部材と大腿部クッション部材との上に座面基底クッション部材が配置された状態で、座面部の内部に設けられたことを特徴とする。
【００４６】
請求項３８の発明は、請求項１４乃至請求項３７の何れかに記載の座椅子の製造方法において、背面部内部用クッション部材の各構成部材を、予め異なる寸法サイズ毎及び異なるクッション性能毎に成形しておき、予定される座者の体格に応じて適宜選択し、予定される座者に最適な背面部内部用クッション部材を構成することを特徴とする。
【００４７】
請求項３９の発明は、請求項１４乃至請求項３７の何れかに記載の座椅子の製造方法において、座面部内部用クッション部材の各構成部材を、予め異なる寸法サイズ毎及び異なるクッション性能毎に成形しておき、予定される座者の体格に応じて適宜選択し、予定される座者に最適な座面部内部用クッション部材を構成することを特徴とする。
【００４８】
請求項４０の発明は、請求項１４乃至請求項３７の何れかに記載の座椅子の製造方法において、背面部用クッション部材と座面部内部用クッション部材の各構成部材を、予め異なる寸法サイズ毎及び異なるクッション性能毎に成形しておき、予定される座者の体格に応じて適宜選択し、予定される座者に最適な背面部用クッション部材と座面部内部用クッション部材とを構成することを特徴とする。
【発明の効果】
【００４９】
請求項１乃至請求項１４の各発明によれば、座者の背（背部）が当接される背もたれ部としての背面部の内部に構成される背面部内部用クッション部材において、座者の背部が背面部に当接された際に当該座者の背骨が当たる背面部内部に、背骨の圧力を回避する背骨回避用空間領域が一対の背骨回避クッション部材によって当該背骨回避クッション部材間に設けられた構成としてあるので、背骨に対する背面部の当たりが緩和されると共に、背の体圧を左右の背骨回避クッション部材で効率よく分散せることができる。
【００５０】
請求項１乃至請求項４０の各発明によれば、何れも、座者と座椅子の骨格構成フレームとの間に介在させるクッション材としての背面部内部用クッション部材の構成を従来にない新たな発想に基づいた構成、即ち、背骨回避用空間領域が設けられた構成としているので、座者の体圧を座部と背もたれ部の背面部とに効率よく分散させることができ、座り心地のよい座椅子を提供することができる。
【００５１】
請求項１や請求項６の発明によれば、背骨回避クッション部材が架け渡しクッション部材を介して座者の身体に間接的に当接するので、当該背骨回避クッション部材の存在が平面的な架け渡しクッション部材で円やかに緩和されて、当たり心地の良い感触を生じさせることができる。
【００５２】
請求項３や請求項６の各発明によれば、背面部の上端側に向かって背骨回避クッション部材の厚さが次第に低減されているので、当該低減化部位（傾斜面）で座者の上半身（殊に、背部や首や頭）のズレ落ちを防ぐことができる。
【００５３】
請求項１５を引用する各発明によれば、当該上半身の体圧に応じて揺動した背面部が当該体圧を十分に受けることができるので、従来の座椅子に比べて、座面に掛る体圧を背面部に分散することができ、全体として、座り心地のよい座椅子を提供することができる。
【００５４】
請求項８乃至請求項１３の発明によれば、選択された特定の背骨回避クッション部材や架け渡しクッション部材のクッション性能やこれらの部材の組合せによるクッション性能に対して、最終的に選択される裏張りクッション部材のクッション性能の選択如何によって、座椅子背面部内部用クッション部材の全体としてのクッション性能を所望する任意の性能に容易に調整することができる。
【００５５】
請求項９乃至請求項１１や請求項３５の各発明によれば、何れも、クッション性能やサイズ等の形状を異にした背面部内部用クッション部材や座面部内部用クッション部材を予め単体化（一体化）しておくことによって、個々の座者の体形（身長や体重或いは臀部や背骨の大きさ等）に応じて、個々の座者に対応する個性的な座椅子を容易且つ迅速に製造し、提供することができる。
【００５６】
請求項１５乃至請求項４０の各発明によれば、何れも、座者の上半身即ち座者の腰部、背部及び肩部を受ける背もたれ部の骨格構造を、前記上半身のうちの背部のみを受ける背面部とし、当該背面部の骨格を構成する背面部構成フレームを、当該背面部構成フレームで形成されるフレーム面内を左右方向に通る軸線を揺動軸として、座者の上半身側の前後方向の屈伸運動に応じて当該背面部即ち背面部構成フレームが自在に揺動する構成としてあるので、座者の上半身の傾き如何に応じて、即ち、座者の座る姿勢に応じて、常時、背骨（脊椎）を自然なＳ字状態で無理なく背面部内部用クッション部材で受け止めることができると共に、座者の体圧を座部と背もたれ部の背面部とに効率よく分散させることができ、座り心地のよい座椅子を提供することができる。
【００５７】
請求項１６乃至請求項１８の各発明によれば、何れも、座者の上半身の如何様な傾き姿勢においても、即ち、背部の如何なる傾斜角度変化に対しても、背部に対応する背部構成フレームが無理なく円滑に追従揺動することができる。
【００５８】
請求項１９乃至請求項２２の各発明によれば、何れも、座者の上半身の傾斜角度が約１２５度において、座り心地が最も理想的な座椅子を提供することができる。
【００５９】
請求項２３乃至請求項２５の各発明によれば、何れも、座者の上半身の迅速な傾動に対して、背部に対応する背部構成フレームを迅速に追従揺動させることができる。
【００６０】
請求項３０の発明によれば、例えば、請求項２７の発明と比較すると、揺動軸として有体の軸体を四角枠状のフレーム内に設ける必要が無いので、フレーム構成部材の省略化、座椅子の軽量化、殊に背部構成フレームの軽量化や座椅子製造の手間やコストの低減化とを図ることができる。
【００６１】
請求項２８乃至請求項３０の各発明によれば、何れも、背もたれ部としての背面部が座面に対してリクライニングギアを介して如何様な角度に設定されても、背部に対応する背部構成フレームを無理なく円滑に追従揺動することができ、座者の上半身の迅速な傾動に対して、背部に対応する背部構成フレームを迅速に追従揺動させることができる。
【００６２】
請求項２９の発明によれば、例えば、請求項３０の発明と比較すると、連結用のフレーム部材を設ける必要が無いので、フレーム構成部材の省略化、座椅子の軽量化、及び構成フレームの軽量化や座椅子製造の手間やコストの低減化とを図ることができる。
【００６３】
請求項３１乃至請求項３４の各発明によれば、何れも、座面部における臀部の前方側の座り位置を当該座椅子における座面部の理想的な位置（揺動自在な背面部との体圧分散に係る関係においての理想的位置）に自ずと案内させることができる。即ち、座者の臀部の前方側が大腿部クッション部材、臀部の左右後方側が臀部後端受クッション部材の各部材によって、臀部を前方及び左右後方の三点で理想的な座り位置に自ずと案内することができる。
【００６４】
請求項３８の座椅子の製造方法の発明によれば、発注に応じて、座者の体格に応じた背面部内部用クッション部材が背面部に配設された座椅子を容易且つ迅速、しかも廉価にて提供することができる。
【００６５】
請求項３９の座椅子の製造方法の発明によれば、発注に応じて、座者の体格に応じた座面部内部用クッション部材が座面部に配設された座椅子を容易且つ迅速、しかも廉価にて提供することができる。
【００６６】
請求項４０の座椅子の製造方法の発明によれば、発注に応じて、座者の体格に応じた背面部内部用クッション部材及び座面部内部用クッション部材が背面部及び座面部に配設された座椅子を容易且つ迅速、しかも廉価にて提供することができる。
【図面の簡単な説明】
【００６７】
【図１】図１は座椅子の骨格フレームの左斜視図である。
【図２】図２は図1に示す座椅子の骨格フレームの縦断側面図である。
【図３】図３は背面部の傾動状態を示す側面説明図である。
【図４】図４は背面部の上端側が後方に傾倒した状態を示す側面図である。
【図５】図５は図２の縦断側面図に骨格フレームの実寸法記入説明図である。
【図６】図６は着座状態を示す説明図である。
【図７】図７は着座状態におけるクッション部材の配置説明図である。
【図８】図８は座椅子を１８０度展開した状態におけるクッション部材の配置説明図である。
【図９】図９は背面部内部用クッション部材の斜視図である。
【図１０】図１０は背面部内部用クッション部材の分解斜視図である。
【図１１】図１１は背面部内部用クッション部材の部分斜視図である。
【図１２】図９は背面部内部用クッション部材を水平状態においた斜視図である。
【図１３】図１３は座面部内部用クッション部材の斜視図である。
【図１４】図１４は座面部内部用クッション部材の分解斜視図である。
【図１５】図１５は着座状態におけるクッション部材の別の配置説明図である。
【発明を実施するための形態】
【００６８】
本発明の座椅子として、座面部と背面部とがリクライニングギアを介して水平状態から略直角状態に傾動可能とされた所謂リクライニング式座椅子を実施の形態の一例として示す。
【実施例】
【００６９】
図1乃至図５に示す図は、実施例として示すリクライニング式座椅子（以下、単に座椅子ともいう）の骨格を構成する骨格構成フレームを示す図である。以下、図1乃至図５に基づいて説明する。
【００７０】
図1において、図示の座椅子は、座者の臀部を受ける座面部１の骨格を構成する座面部構成フレーム１０と、座者の上半身即ち腰部、背部、肩部及び首部や頭部のうちの概ね背部、好ましくは背部のみを受ける背面部２の骨格を構成する背面部構成フレーム２０とを備えた構成とされている。
この背面部構成フレーム２０は、当該背面部構成フレーム２０で形成される略長四角形状に形成されたフレーム面内を当該座椅子の左右の幅方向（以下、単に左右方向といもいう）に通るように延在する軸線Ｓを揺動軸２１として、座者の上半身側を座椅子の前後方向に、例えば、背筋を伸ばして屈伸運動する場合等に、当該屈伸運動による背部の傾動に応じて自在に追従し、背部の圧力によって従動し揺動する構成としてある。
【００７１】
ここで、背面部構成フレーム２０の揺動とは、当該背面部構成フレーム２０のフレーム面、この実施例では上端縁側フレーム部材２２と下端縁側フレーム部材２３とによって略長四角に成形されたフレーム面（上端縁側フレーム部材２２と下端縁側フレーム部材２３とで囲まれた面）が、上記の軸線Ｓを形成する揺動軸２１より上方部側のフレーム面部即ち上部側フレーム面（上端縁側フレーム部材２２で囲まれた面）と揺動軸２１より下方部側のフレーム面部即ち下部側フレーム面（下端縁側フレーム部材２３で囲まれた面）とが、座者の背部の面的な当接によって受ける圧力即ち受圧の差（以下、受圧差ともいう）に応じて当該揺動軸２１を回動軸として揺動自在に回動して一定の状態に応じて傾く動きであり、上部側フレーム面と下部側フレーム面とが受ける受圧差に応じた均衡で当該フレーム面が静止しようとする動きである。
【００７２】
従って、軸線Ｓ（揺動軸２１）はフレーム面の上端側の縁を形成する上端縁側フレーム部材２２とフレーム面の下端側の縁を形成する下端縁側フレーム部材２３との上下間隔内、即ちフレーム面の上下間隔内という意味でのフレーム面内に設定される必要があるが、要は、上端縁側フレーム部材２２が座椅子の後方へ動く際には下端縁側フレーム部材２３が座椅子の前方に動くように設定されればよいのである。
よって、軸線Ｓは必ずしもフレーム面の面上に位置する必要はなく、当該フレーム面の厚み方向（座椅子の前後方向の厚み間隔）に外れた位置に設定されても差し支えない。
【００７３】
又、背面構成フレーム２０のフレーム面は、実施例では、座者の左右方向に長い略長四角形状とされているが、必ずしもこの形状も限られるわけではなく、例えば、楕円形状や丸形状等であってもよい。実施例では２本のパイプフレーム部材（上端縁側フレーム部材２２と下端縁側フレーム部材２３）を用いてフレーム面をパイプ枠で囲むように形成してあるが、何がしかの板状部材を用いてフレーム面を平板状に形成してもよい。
要は、座者の背部にフレーム面が面的に当接することによって、当該背部の圧力(体圧)を的確に受圧でき、上述のように背面構成フレーム２０が揺動自在となる形状であればよいのであって、背面部２は、背面部構成フレー２０ムの揺動において、少なくとも座者の背部と面当接可能に構成されればよいのであって、背面部の骨格自体を如何に構成するかは必ずしも重要な要素ではない。
【００７４】
背面部構成フレーム２０は、その両端側の揺動軸２１、２１が、座面部構成フレーム１０の後端側の左右両端側に設けられたリクライニングギア１１、１１に連結された左右一対の背面部支持フレーム１６，１６に回動自在に軸支されており、少なくとも、座面部構成フレーム１０と略一直線上となる１８０度から背面部構成フレーム２０が略直角に立ち上がるほぼ９０度範囲で、傾動自在に構成されている。
尚、図示において、揺動軸２１の軸受部の図示形状はリクライニングギア１１の図示形状と同形状とされているが、揺動軸２１の軸受部は上記の作動説明で明らかな通り、リクライニングギア機能は備えておらず、単なる軸受である。
【００７５】
この背面部支持フレーム１６，１６は、実施例では、座面部１に座った座者の腰部の体圧（圧力）を直接を受けないよう腰部に触れない後方に十分離された位置に設けるため、座面部構成フレーム１０の後方側を座者の臀部位置よりも後方に更に延在させて構成している。
又、この左右一対の背面部支持フレーム１６，１６を一体化し補強するために、この実施例では、当該両背面部支持フレーム１６，１６を連結フレーム部材１３で連結（溶接）して一体的に構成している。
【００７６】
揺動軸２１の揺動を座者の上半身（背部）の揺動に応じて円滑に従動させるためには、揺動軸２１のフレーム面内の設定位置が、背面部構成フレーム２０で形成されるフレーム面の上下方向において、当該軸２１より下部側方向長さより上部側方向長さの方が長い位置に設定するのが好ましく、理想的には、下部側方向長さと上部側方向長さとの比が略１対３に分かたれる位置に設定するのが最適である。
そして、背面部構成フレーム２０の揺動範囲は、少なくとも、座者が座面部１の座面から臀部を浮かせて背部を後方へ一杯に伸展させた際、座者の背部に対して背面部２が面当接した状態で傾動可能な範囲とするのが好ましい。
【００７７】
上記実施例の背面部構成フレーム２０は、上記したように、上端縁側フレーム部材２２と下端縁側フレーム部材２３とで、背面部２の外周縁を形成する略長四角形状の枠体に形成されており、この枠体の左右の両外側に各々揺動軸２１、２１が設けられているが、
この枠体内を左右水平方向の揺動軸線Ｓ上に延在する有体の軸体(図示せず)を用いて揺動軸（２１）としてとしてもよい。
【００７８】
図６に示す着座状態の説明図において、以下、説明する。
図は、座椅子が、座面部構成フレーム１０の座面（水平面）に対して背面部構成フレーム２０のフレーム面が約１２５度に開いた傾斜角度（傾き）に設定された状態で、身長約１６９ｃｍの座者が顎を引き背骨を自然なＳ字状とし、理想的に安定した姿勢即ち自然体にて着座した状態を示しており、この場合、背骨の胸椎の下半部から腰椎の上半部に掛けての直線的ラインがフレーム面と略平行な状態となる。
尚、図中の背骨に沿って記載の数字の意味は次の通りである。
即ち、Ｃ１〜Ｃ７が第１頸椎〜第７頸椎、Ｔ１〜Ｔ１２が第１胸椎〜第１２胸椎、Ｌ１〜Ｌ５が第１腰椎〜第５腰椎であり、第５腰椎の下の比較的大きな骨が仙椎（仙骨）、仙骨に続く比較的細い骨が尾椎（尾骨、所謂尾てい骨）であって、人体の脊椎（背骨）を構成している。
【００７９】
この略平行な状態において、フレーム面の上端縁（２２）は座者の胸椎の第６胸椎に相応する部位に平行的に位置し、フレーム面の下端縁（２３）は座者の第４胸椎に相応する部位に平行的に位置するように、当該フレーム面の上下方向長さ即ち座面部構成フレーム２０の上下方向幅を設定し、且つ、当該座面構成フレーム２０即ちフレーム面の揺動軸２１の位置を、当該フレーム面の上下方向長さにおいて、下端縁（２３）側に至る長さ（下端側長さ）を１として、上端縁（２２）側に至る長さ（上端側長さ）を３とするのが、最適である。
【００８０】
換言すれば、背面部２のフレーム面の上下方向長さは、座者の上半身の傾斜角度が約１２５度の上記の着座姿勢の場合、平行的位置関係において、座者の第８又は第９胸椎から第４腰椎までの長さに相応させるのが最適であり、揺動軸２１の設定位置は、座者の上半身の傾斜角度が約１２５度の座姿勢において、座者の腰部の高さ方向範囲内、より具体的には、座者の第３乃至第５腰椎の高さ方向範囲内に相応させるのが最適である。
又、揺動軸２１の座椅子の前後方向設定位置は、座者の上半身の傾斜角度が約１２５度の上記着座姿勢において、座者の第６乃至第７胸椎を通る垂線上に位置させるのが最適である。
【００８１】
上記の身長約１６９ｃｍの着座姿勢にける座椅子構成フレーム即ち座面部構成フレーム１０及び背面部構成フレーム２０の最適な具体的寸法は概ね以下の通りである。
即ち、座椅子構成フレーム１０の前端側から後端側のリクライニングギア１１の回動軸芯迄の前後方向長さは約５０ｃｍ、前記リクライニングギア１１の回動軸芯から背面部構成フレーム２０の上端縁２２側迄の上下方向の長さは約４０ｃｍ、前記リクライニングギア１１の回動軸芯から前記背面部構成フレーム２０揺動軸２１の軸芯迄の長さは約２４ｃｍ。
【００８２】
従って、前記背面部構成フレーム２０揺動軸２１の軸芯から背面部構成フレーム２０の上端縁２２側迄の長さは約１６ｃｍ、当該揺動軸２１の軸芯から背面部構成フレーム２０の下端縁２３側迄の長さは約５ｃｍで、背面部構成フレーム２０の上端縁（２２）から下端縁（２３）迄の上下方向長さは約２１ｃｍとなる。
【００８３】
座椅子の構成フレーム即ち背面部構成フレーム２０や座面部構成フレーム１０と座者の身体（背骨）との関係、即ち、上記したように、座者の背骨が自然なＳ字状となり、理想的に安定した自然体の姿勢で着座した状態において、座者の背骨の要部即ち胸椎の下半部から腰椎の上半部に掛けての直線的ラインがフレーム面と略平行な状態となる関係は、当然のことながら、両者間に介在するクッション材を考慮せねばならないが、クッション材に特別な工夫は必要でなく、従来通りに、平面的なクッション材を単純に積層するだけで、この関係を容易に成立させることができる。
【００８４】
従って、上記関係は、極く普通のクッション材が極く普通に用いられた在来の座椅子、即ち、背面部が本発明と異なり揺動不能で、背面部の傾斜角度が例えば約１２５度に固定されている座椅子（以下、背面部固定式座椅子ともいう）に限っては一応成立可能ではあるが、このような背面部固定式座椅子では、座者の座る姿勢次第では、上記した略平行状態を維持させることはできなくなる。
【００８５】
これに対して、本発明では上記実施例で示したように、背もたれ部としての背面部２において、当該背面部の骨格を構成する背面部構成フレーム２０を揺動自在な構造としてあるので、座者の座る姿勢が如何様に変化しても、背面部２の面即ち背面部構成フレーム２０のフレーム面が、座者の背骨の要部（の直線的ライン）と略平行な状態を、常時、維持させることができるのである。
【００８６】
即ち、座面部１と背面部２とを備えた座椅子が座者の体圧を受ける支持構造において、殊に座者の上半身の体圧を受けるに当たって、座者の上半身の傾斜角度の如何に拘わらず、座者の上半身のうち、背部のみを常時略平行な状態にて受けることできる揺動自在な背面部２が設けられているので、座者の全体圧の殆どを座面部１にて受ける従来の座椅子に比べて、背面部２がより多く上半身の体圧を楽な姿勢にて受けることができ、座面部１が受ける体圧を大幅に軽減させることができ、従来に比べて安楽に座ることができるのである。
【００８７】
次に、上記実施例の座椅子の構成フレームである座面部構成フレーム１０と背面部構成フレーム２０とに配設されるクッション材としての、座椅子の座面部の内部用クッション部材（即ち座椅子座面部内部用クッション部材、以下、単に座面部内部用クッション部材ともいう）と、座椅子の背面部の内部用クッション部材（即ち座椅子背面部内部用クッション部材、以下単に背面部内部用クッション部材ともいう）の配設構成について、図６乃至図１５に基づいて説明する。
【００８８】
先ず、座者の腰部と背部と肩部とのうちの背部を受ける背面部の骨格を構成する背面部構成フレーム２０に装置される背面部内部用クッション部材２００は、座者の背部が当接された際に、座者の背骨の左右に間隔をおいて前記背骨と平行的に延在するよう各別に配設された一対の背骨回避クッション部材２４，２５と、この一対の背骨回避クッション部材２４，２５と座椅子に座る座者の背部との間に介在して、前記一対の背骨回避クッション部材２４，２５の上に、当該両背骨回避クッション部材２４，２５に架け渡されるように張設されて、座者の背部を受けるように設けられた架け渡しクッション部材２６とで構成されている。
【００８９】
一対の背骨回避クッション部材２４，２５は全長にわたって四角柱状のクッション部材を用いてもよい（図１０のニ点鎖線部参照）が、この実施例に示す背骨回避クッション部材２４，２５は、当該部材の延在方向中央付近から背面部の上端側に向かって厚さが次第に減少する先細り形状となるよう、即ち、図１０のニ点鎖線部をカットした形となるよう、更に具体的には、架け渡しクッション部材２６側に次第に近接して厚さが減少して行くように、背骨回避クッション部材の上端側が側面視において略直角三角形状とされている（図１０、図１１）。
【００９０】
又、背骨回避クッション部材２４，２５を先細り形状とするには、勿論、図示の実施例に限らず、当該部材の延在方向中央付近から背面部の上端側に向かって厚さが次第に減少するよう当該部材の上端側を、側面視において二等辺三角形状としてもよい(図示せず)。
尚、上記の架け渡しクッション部材２６の形状は、正しく平板状である必要はないが、適度な厚みの概ね平板状であればよい。
【００９１】
図１１に示す背面部内部用クッション部材２００では、上記のように整形された一対の背骨回避クッション部材２４，２５と架け渡しクッション部材２６とで囲まれて、当該架け渡しクッション部材２６の背面側に座者の背骨の延在方向に形成された背骨回避空間Ｈが横断面において略コ字形に形成される。
【００９２】
この一対の背骨回避クッション部材２４，２５と架け渡しクッション部材２６とで構成される背面部内部用クッション部材２００（以下、第１例の背面部内部用クッション部材ともいう）は、一対の背骨回避クッション部材２４，２５と架け渡しクッション部材２６との３部材を各々別体即ち単体として予め整形しておき、背面部構成フレーム２０へ装着するに際してこれ等３部材を適当な接着剤にて貼り合わせて一体化させ、単体（単品）として取り扱うようにしてもよいし、予め、３部材を接着剤にて貼り合わせて一体化させておいてもよい（一体形成）。尚、一体形成は一部材からの整形により一体形成してもよい。
【００９３】
背面部内部用クッション部材２００を構成する３部材を、各々単体として、或いは又、３部材を接着剤等にて予め一体化させて置く場合の何れの場合であっても、予め各部材のクッション性（反発力）や形状を異にしておくことによって、単体の場合にあっては、製造に当たって、使用者（座者）の体格に応じた部材の組合せの選択によって、クッション性能の異なる背面部内部用クッション部材２００を容易に構成することができる。
又、一体化させておく場合にあっては、予定される使用者（座者）の体格に応じたクッション性能の異なる背面部内部用クッション部材２００を予め単品として用意しておくことができるので、注文に応じて個々の使用者の体格に応じたクッション性を備えた背面部内部用クッション部材２００を選択して、個々の座者の体格に応じた最適なクッション性を備えた座椅子を迅速且つ容易に提供することができる。
【００９４】
他方、図１２に示す背面部内部用クッション部材２１０（以下、第２例の背面部内部用クッション部材ともいう）は、上記背面部内部用クッション部材２００の構成に加えて更に、この背骨回避空間Ｈのコ字形の開放側を塞ぐように裏張りクッション部材２０１が左右の背骨回避クッション部材２４，２５間に張り渡すように一体的に設けられて、背骨回避空間Ｈが横断面においてロ字形即ち四角形状に形成されている。
【００９５】
図示の背面部内部用クッション部材２１０では、先細り状に形成された一対の背骨回避クッション部材２４，２５と架け渡しクッション部材２６との３部材を上記の通り組み合わせ、貼り合わせて一体成形した図１１に示す背面部内部用クッション部材２００の３部材構成に加えて、一対の背骨回避クッション部材２４，２５の裏側即ち背面部構成フレーム２０側に、当該一対の背骨回避クッション部材２４，２５間に架け渡すように、更に一枚の平面的なクッション部材即ち裏張りクッション部材２０１を組み付け貼り合わせて、４部材を一体化させて構成したものである。
【００９６】
先細り状に形成された背骨回避クッション部材２４，２５の裏面側全面に裏張りクッション部材２０１を貼り付けると、上記４部材のクッション性（反発力）の相互作用（合成）によって、４部材が一体化された背面部内部用クッション部材２１０は図７、図９、図１２に示すように、側面視において略紡錘形状となって、架け渡しクッション部材２６が座者の背部の反り返りに応じた相補形状的な曲面となる。
【００９７】
尚、図１１に示す第１例の背面部内部用クッション部材２００も、その一対の先細り状の背骨回避クッション部材２４，２５の裏側が背面構成フレーム２０側に貼り付けられて装着された際や、後述するように、座椅子の最外層を形成する最外層クッション部材３０や最外層クッション部材３０の外表面を覆う表面カバー３１等によって座椅子の外形が整えられる際の締め付け圧力によって、その架け渡しクッション部材２６の背部の反り返りに応じた相補形状的な曲面となる。
【００９８】
このように背面部２の上端側（２２）に向かって一対の背骨回避クッション部材２４、２５の厚さを次第に低減させることにより、図７に示すように、当該低減化部位（傾斜面化部位）、即ち、架け渡しクッション部材２６の背部側の反り返り曲面の曲がりがより深められて座者の背部が乗り易くなるので、座者の上半身（殊に、背部）の座面方向へのズレ落ちをより効果的に防ぐことができ、上半身の体圧を背面部２がより一層多く受ける（分担する）ことができるので、従来の座椅子に比べて、座面１に掛る座者の体圧をより多く背面部２に分散させることができ、全体として、座り心地のよい座椅子を提供することができる。
【００９９】
この一対の背骨回避クッション部材２４，２５と架け渡しクッション部材２６と裏張りクッション部材２０１とで構成される第２例の背面部内部用クッション部材２１０も、上記第１例の背面部内部用クッション部材２００と同様に、４部材を各々別体即ち単体として予め整形しておき、背面部構成フレーム２０へ装着するに際して、４部材を接着剤にて貼り合わせて一体化させ、単体として取り扱うようにしてもよいし、予め、４部材を接着剤にて貼り合わせて一体化させておいてもよい（一体形成）。
【０１００】
背面部内部用クッション部材２１０を構成する４部材を、各々単体として、或いは又、４部材を接着剤等にて予め一体化させて置く場合の何れの場合であっても、予め各部材のクッション性（反発力）や形状（寸法サイズ等）を異にしておくことによって、単体の場合にあっては、製造に当たって、使用者（座者）の体格に応じた部材の組合せの選択によって、クッション性能の異なる背面部内部用クッション部材２１０を容易に構成することができるし、一体化させておく場合にあっては、予定される使用者（座者）の体格に応じたクッション性能の異なる背面部内部用クッション部材２１０を予め単品として用意しておくことができるので、注文に応じて個々の使用者の体格に応じたクッション性を備えた背面部内部用クッション部材２１０を選択して、個々の座者の体格に応じた最適なクッション性を備えた座椅子を迅速且つ容易に提供することができる。
【０１０１】
上記の背骨回避クッション部材２４、２５は、背面部２即ち背面部２のフレーム面の下端縁（２３）側から上端縁（２２）側に向かって延在する、例えば、角柱形状即ち長尺の直方体であればよいが、この実施例では当該クッション部材２４、２５が延在方向中央付近からフレーム面の上端縁（２２）側に向かって厚さを次第に減少させた形となっている（図７）。
【０１０２】
上記のように背面部構成フレーム２０に配設された一対の背骨回避クッション部材２４、２５の上には、更に、一枚の平板状の架け渡しクッション部材を背面基底クッション部材２６として当該両クッション部材２４、２５を覆うように架け渡して、積層的に配設しており（図７、図８）、このように配設すると、背骨回避クッション部材２４、２５が背面基底クッション部材２６を介して座者の身体に間接的に当接するので、例えば、図示のように、単体化された当該背骨回避クッション部材２６の角張った形状が、平面的な背面基底クッション部材２６で円やかに緩和させることができる。従って、座者に当たり心地の良い感触を生じさせることができる。
【０１０３】
次に、図７、図８、図１３乃至図１５において、座面部１の内部に設ける座椅子座面部内部用クッション部材（以下、単に座面部内部用クッション部材ともいう）について説明する。
この実施例に示す座面部内部用クッション部材３００（以下、第１例の座面部内部用クッション部材３００ともいう）は、以下詳述するように、座面部構成フレームのフレーム面を覆う広さに形成された座面基底クッション部材と、前記座面基底クッション部材の後端縁側であって、座者の臀部の左右後端側の圧力を受ける部位に間隔をおいて各々配設された一対の臀部後端受クッション部材と、前記座面基底クッション部材の前端縁側であって、座者の大腿部の圧力を受ける部位に配設された大腿部クッション部材とで構成されている。
【０１０４】
先ず、図７、図８、図１３において、座面部構成フレーム１０には、当該フレーム面の広さを覆うように平面状に成形された座面基底クッション部材１７が直接設けられ、この座面基底クッション部材１７の上に、座者の臀部の左右後端側が当接して、座者の臀部の左右後端側部位の圧力を受ける一対の臀部後端受クッション部材１３、１４が間隔をおいて各別に設けられている。
このように、座者の臀部の左右後端側部位に一対の臀部後端受クッション部材１３、１４を設けることによって、座面部１における臀部の後方側の座り位置を当該座椅子における座面部１の理想的な位置（上記の着座姿勢における背骨の要部と直線的ラインと背面部構成フレームのフレーム面との平行関係）、即ち、揺動自在な背面部との体圧分散に係る関係においての理想的位置に自ずと案内即ち位置決めさせることができる。
【０１０５】
又、一対の臀部後端受クッション部材１３、１４を臀部の左右後端側部位即ち背骨の左右位置に間隔を空けて設けることによって、座者の背骨の下端部の尾てい骨による直接的な圧力を座面部１が受けることを回避させることもできる。
このように、座者の背骨下端部が座面部１に直接的に強く当接しないよう一対の臀部後端受クッション部材１３、１４を上記のように配設することによって、背骨に対する座面部２の当たりを緩和させることができると共に、臀部の体圧を左右の臀部後端受クッション部材１３、１４に分散させることができ、座面部１の一点への臀部の尾てい骨の当たり（圧力）を軽減させることができる。
【０１０６】
この実施例の一対の臀部後端受クッション部材１３、１４は、座面部の左右方向に延在するように四角柱状に形成された部材であるが、例えば、側面視において、座椅子の前方側から後方側に向かって次第に厚さが増大する略直角三角形状とされた単体部材として形成してもよい。この場合、当該直角三角形の斜辺が臀部に当接するように座面基底クッション部材１７の上に配設する(図示せず)。
このように、臀部後端受クッション部材１３、１４が臀部に当接する面を、当該臀部の曲面に相応するよう斜面状に形成することによって、臀部に当接した際に座者に心地よい接触感覚を与えることができると共に、臀部の座椅子後方への無用のズレをも防止させることができ、臀部を座面部１の理想的な座り位置（上記の着座姿勢）に位置決めさせることができる。
【０１０７】
更に、この座面部１の座面基底クッション部材１７の上には、当該座面の前端側に座者の大腿部下に当接する大腿部クッション部材１５が、当該座面の前端縁側に沿って座椅子の左右方向に延在するように設けられている。
この大腿部クッション部材１５は、大腿部の下面の略全体に当接するよう断面四角形状で比較的厚さが薄い平板状の単体部材として形成されている。
このように、大腿部クッション部材１５を設けることによって、座者の座面前方側へのズレが防止できると共に、座者の臀部の前方側が大腿部クッション部材１５、臀部の左右後方側が臀部後端受クッション部材１３、１５の各部材によって、臀部を三方向の三点で理想的な座り位置（上記の着座姿勢）に自ずと案内（位置決め）させことができる。
【０１０８】
又、図１５に示すように、上記の座面部１の一対の臀部後端受クッション部材１３、１４及び大腿部クッション部材１５を、図示の上記実施例の第１例の座面部内部用クッション部材３００とは逆に、座面部構成フレーム１０に直接、上記実施例と同様の配置で配設し、これら、座面部構成フレーム１０上に配設された前記一対の臀部後端受クッション部材１３、１４及び大腿部クッション部材１５の上を一体的に覆うように座面基底クッション部材１７を配設してもよい（以下、第２例の座面部内部用クッション部材３１０ともいう）。
【０１０９】
この第２例の座面部内部用クッション部材３１０おいても、座面部１の一対の臀部後端受クッション部材１３、１４及び大腿部クッション部材１５は、座者の臀部の前方側部位と後方側左右部位との３部位によって、臀部の座り位置を理想的な位置に位置決めさせることができる。
即ち、このように配設すると、臀部後端受クッション部材１３、１４や大腿部クッション部材１５が座面基底クッション部材１７を介して座者の臀部や大腿部の対応部分に間接的に当接するので、図示のように、単体化された臀部後端受クッション部材１３、１４や大腿部クッション部材１５の角張った形状が平面的な座面基底クッション部材１７で円やかに緩和されて、当たり心地の良い感触を生じさせることができる。
【０１１０】
上記した第１例の座面部内部用クッション部材３００は、座面基底クッション部材１７が座面部構成フレーム１０上に装着され、前記の座面基底クッション部材１７上に一対の臀部後端受クッション部材１３，１４と大腿部クッション部材１５との３部材が臀部を中央にして三方から囲むように配置された状態で、座面部の内部に設けられた構成であり、第２例の座面部内部用クッション部材３１０は、一対の臀部後端受クッション部材と大腿部クッション部材とが座面部構成フレーム上に装着され、前記臀部後端受クッション部材と大腿部クッション部材との上に座面基底クッション部材が配置された状態で、座面部の内部に設けられた構成である。
【０１１１】
上記した第1例や第２例の何れの場合であっても、構成部材である４部材を各々別体即ち単体として予め整形しておき、背面部構成フレーム２０へ装着するに際して４部材を接着剤にて貼り合わせて一体化させ、単体として取り扱うようにしてもよいし、予め、４部材を接着剤にて貼り合わせて一体化（単品化）させておいてもよい（一体形成）。
【０１１２】
座面部内部用クッション部材３００，３１０を構成するこれら４部材を、各々単体として、或いは又、４部材を接着剤等にて予め一体化させて置く場合の何れの場合であっても、予め各部材のクッション性（反発力）や形状（寸法サイズ等）を異にしておくことによって、単体の場合にあっては、製造に当たって、使用者（座者）の体格に応じた部材の組合せの選択によって、クッション性能の異なる座面部内部用クッション部材３００，３１０を容易に構成することができるし、一体化させておく場合にあっては、予定される使用者（座者）の体格に応じたクッション性能の異なる座面部内部用クッション部材３００，３１０を予め単品として用意しておくことができるので、注文に応じて個々の使用者の体格に応じたクッション性を備えた座面部内部用クッション部材３００，３１０を選択して、個々の座者の体格に応じた最適なクッション性を備えた座椅子を迅速且つ容易に提供することができる。
【０１１３】
図７及び図１５図において、符号３０は最外層クッション部材、符号３１は最外層クッション部材３０の外表面を覆う表面カバーである。
最外層クッション部材３０は、座椅子の外表面の表面形状を最終的に整える部材であって、座椅子の外表面をほぼ全面的に覆っているが、上記で説明した本発明の作用効果を実質的に妨げない素材（材質やクッション性能）で構成されている。
【０１１４】
又、両図中には、クッション部材として、最外層クッション部材３０の外に、本発明を構成する各種のクッション部材（座面部１内に配設された座面基底クッション部材１７、一対の臀部後端受クッション部材１３、１４及び大腿部クッション部材１５や、背面部２内に配設された一対の背骨回避クッション部材２４、２５、背面基底クッション部材２６等）のみが示されているが、これに限らず、本発明を構成しないクッション部材、例えば、座椅子の表面形状を整えるためのクッション部材等が適所に適宜配設されてもよい(図示せず)。
【０１１５】
又、上記実施例や各図において、座椅子の骨格を形成する構成フレームとしてパイプフレームを用いた例が示されており、このようなパイプフレームにおいて、当該フレームにクッション部材を配設する際には、当該構成フレームの空間面にテープ、例えば一般には梱包用の締結バンドとして用いられるバンドテープが適宜張設されるが、これの用法等は当業界においては常套手段であるので省略した。
又、本発明の骨格構成フレームは必ずしもパイプフレームである必要はなく、座面部や背面部の骨格は木製或いは金属製の板状部材であってもよく、本明細書でいう構成フレームはこのような木製或いは金属製の板状部材をも含む意味である。
【産業上の利用可能性】
【０１１６】
本発明は、実施例においてリクライニング式の座椅子について説明したが、これに限らず、座部と背もたれ部との角度が一定の固定式の座椅子についても広く利用することができる。
【符号の説明】
【０１１７】
１    座面部
１０  座面部構成フレーム
１１  リクライニングギア
１２  背面部支持フレーム
１３  臀部後端受クッション部材  連結フレーム部材
１４  臀部後端受クッション部材  
１５  大腿部クッション部材
１６  連結フレーム部材
１７  座面基底クッション部材
２    背面部
２０  背面部構成フレーム
２１  揺動軸（軸線Ｓ）
２２  上端縁側フレーム部材
２３  下端縁側フレーム部材
２４  背骨回避クッション部材
２５  背骨回避クッション部材
２６  架け渡しクッション部材（背面基底クッション部材）
２００  背面部内部用クッション部材（第１例）
２０１  裏張りクッション部材
２１０  背面部内部用クッション部材（第２例）
３００  座面部内部用クッション部材（第1例）
３１０  座面部内部用クッション部材（第２例）
Ｓ    軸線（揺動軸２１）
Ｈ    背骨回避空間
【図１】
2014023593.tif 000003
【図２】
2014023593.tif 000004
【図３】
2014023593.tif 000005
【図４】
2014023593.tif 000006
【図５】
2014023593.tif 000007
【図６】
2014023593.tif 000008
【図７】
2014023593.tif 000009
【図８】
2014023593.tif 000010
【図９】
2014023593.tif 000011
【図１０】
2014023593.tif 000012
【図１１】
2014023593.tif 000013
【図１２】
2014023593.tif 000014
【図１３】
2014023593.tif 000015
【図１４】
2014023593.tif 000016
【図１５】
2014023593.tif 000017